(57)【要約】【課題】複数の発光部を備える際に、発光部毎の色温度情報の不整合を抑制する。【解決手段】ストロボ３００は、被写体に光を照射する複数の発光部３００ａおよび３００ｂを有しており、アクセサリ検知部３７０ａおよび３７０ｂはそれぞれ発光部３００ａおよび３００ｂについて調色又は配光角調整のための光学アクセサリ５００ａおよび５００ｂが装着されたか否かを検知する。ストロボマイコン３１０は複数の発光部の各々における発光状態を示す発光情報と光学アクセサリの検知結果とに応じて、複数の発光部を発光させた際の発光による色温度を示す色温度情報を決定する。【選択図】図１
2019040028.tif 000002
【特許請求の範囲】
【請求項１】
被写体に光を照射する複数の発光部を有する照明装置であって、
前記発光部の各々について調色又は配光角調整のための光学アクセサリが装着されたか否かを検知する第１の検知手段と、
前記複数の発光部の各々における発光状態を示す発光情報と前記第１の検知手段による検知結果とに応じて、前記複数の発光部を発光させた際の発光による色温度を示す色温度情報を決定する決定手段と、
を有することを特徴とする照明装置。
【請求項２】
前記発光情報には少なくとも前記複数の発光部の各々における発光量が含まれており、
前記複数の発光部の各々について前記発光量および前記第１の検知手段による検知結果に応じて前記色温度情報が規定されたテーブルを記憶する記憶手段を備え、
前記決定手段は前記テーブルを参照して前記色温度情報を決定することを特徴とする請求項１に記載の照明装置。
【請求項３】
前記決定手段は、前記複数の発光部において前記発光量の割合を示す光量比に応じて前記記憶手段に記憶されたテーブルの１つを参照のためのテーブルとすることを特徴とする請求項２に記載の照明装置。
【請求項４】
前記決定手段は、前記複数の発光部の各々における発光量に応じて得られた合計発光量および前記第１の検知手段による検知結果に基づいて前記参照のためのテーブルから前記色温度情報を決定することを特徴とする請求項３に記載の照明装置。
【請求項５】
前記決定手段は、前記複数の発光部の各々について前記テーブルを参照して前記色温度情報を得て、当該複数の発光部の色温度情報を前記複数の発光部における発光量に基づいて加重平均して色温度情報を決定することを特徴とする請求項２に記載の照明装置。
【請求項６】
前記複数の発光部の各々について光の照射方向を検知する第２の検知手段を備え、
前記決定手段は、前記第２の検知手段による検知結果に応じて、前記複数の発光部の各々における発光量を補正することを特徴とする請求項２乃至５のいずれか１項に記載の照明装置。
【請求項７】
前記複数の発光部の各々と前記被写体までの距離を測距する測距手段を備え、
前記決定手段は、前記測距手段で得られた距離に応じて前記光量比を求めることを特徴とする請求項３に記載の照明装置。
【請求項８】
前記照明装置とともに用いられる撮像装置には前記複数の発光部の各々と前記被写体までの距離を測距する測距手段が備えられており、
前記決定手段は、前記測距手段で得られた距離に応じて前記光量比を求めることを特徴とする請求項３に記載の照明装置。
【請求項９】
前記測距手段は前記複数の発光部の各々について発光による前記被写体からの反射光を受けて、発光と受光のタイミングに応じて前記距離を求めることを特徴とする請求項７又は８に記載の照明装置。
【請求項１０】
請求項１乃至９のいずれか１項に記載の照明装置から前記色温度情報を受け、
前記色温度情報に応じて、撮像によって得られた画像を補正する画像処理手段を有することを特徴とする撮像装置。
【請求項１１】
複数の照明装置を備え、前記複数の照明装置によって被写体を照明する照明システムであって、
前記複数の照明装置の１つをメイン照明装置とし、
前記複数の照明装置の各々には、調色又は配光角調整のための光学アクセサリが装着されたか否かを検知する検知手段が備えられ、
前記メイン照明装置を除く他の照明装置には発光の状態を示す発光情報および前記検知手段による検知結果を前記メイン照明装置に送信する送信手段が備えられ、
前記メイン照明装置には、前記他の照明装置から前記発光情報と前記検知手段による検知結果とを受信する受信手段と、
前記メイン照明装置における発光情報、前記他の照明装置における発光情報、および前記検知手段による検知結果に応じて前記複数の照明装置を発光させた際の発光による色温度を示す色温度情報を決定する決定手段と、
を有することを特徴とする照明システム。
【請求項１２】
請求項１１に記載のメイン照明装置から前記色温度情報を受け、
前記色温度情報に応じて、撮像によって得られた画像を補正する画像処理手段を有することを特徴とする撮像装置。
【請求項１３】
被写体に光を照射する複数の発光部を有する照明装置の制御方法であって、
前記発光部の各々について調色又は配光角調整のための光学アクセサリが装着されたか否かを検知する検知ステップと、
前記複数の発光部の各々における発光状態を示す発光情報と前記検知ステップによる検知結果とに応じて、前記複数の発光部を発光させた際の発光による色温度を示す色温度情報を決定する決定ステップと、
を有することを特徴とする制御方法。
【請求項１４】
被写体に光を照射する複数の発光部を有する照明装置で用いられる制御プログラムであって、
前記照明装置が備えるコンピュータに、
前記発光部の各々について調色又は配光角調整のための光学アクセサリが装着されたか否かを検知する検知ステップと、
前記複数の発光部の各々における発光状態を示す発光情報と前記検知ステップによる検知結果とに応じて、前記複数の発光部を発光させた際の発光による色温度を示す色温度情報を決定する決定ステップと、
を実行させることを特徴とする制御プログラム。
【発明の詳細な説明】
【技術分野】
【０００１】
本発明は、照明装置、その制御方法、制御プログラム、および照明システム、並びに撮像装置に関し、特に、複数の発光部を備える照明装置に関する。
【背景技術】
【０００２】
一般に、デジタルカメラなどの撮像装置とともに用いられる照明装置においては、発光の際の光の色温度情報を撮像装置に送り、撮像装置において、色情報温度に基づいてホワイトバランスを調整するようにしている。
【０００３】
図１０は、従来の照明装置の一例を示す斜視図である。
【０００４】
図示の照明装置１０００は、撮像装置（図示せず）に着脱可能な所謂通常のクリップオンタイプの照明装置であり、１つの発光部１００１を有している。当該照明装置１０００は１つの発光部１００１を有しているので、撮像装置は撮影の際に発光部１００１の発光による色温度情報に基づいてホワイトバランスを決定する。
【０００５】
一方、複数の発光部を備える照明装置では、発光部毎の色温度情報が異なることがある。このため、撮像装置において色温度情報に応じてホワイトバランスを決定する際に、色温度情報毎に決定されたホワイトバランスに不整合が生じることがある。
【０００６】
さらに、発光部毎に光学フィルタなどの光学アクセサリが装着可能な場合には、光学アクセサリの装着の有無および光学アクセサリの透過率などに起因して、発光部毎の発光量および被写体に届く光量が異なる。このように、色温度情報が発光部毎に異なると、照明装置から撮像装置に色情報温度を送ることができない場合がある。そして、複数の照明装置を用いた所謂多灯ワイヤレス撮影の際においても同様の状況が生じる。
【０００７】
このような状況を回避するため、最大発光する照明装置に係る色温度情報に基づいて、他の照明装置に係る色温度情報が上記の色温度情報と同等になるように、発光の際の充電電圧を調整する照明装置がある（特許文献１）。
【先行技術文献】
【特許文献】
【０００８】
【特許文献１】特開２０１１−２２１３６３号公報
【発明の概要】
【発明が解決しようとする課題】
【０００９】
ところが、特許文献１に記載の照明装置では、最大発光する照明装置に合わせて、その他の照明装置に必要な充電電圧に達するまで待機しなければならない。このため、照明装置に用いて撮影を行う際にシャッターチャンスを逃がしてしまうことがある。加えて、照明装置毎の色温度を同等とする関係上、複数の照明装置における充電電圧および発光量が規定さされてしまい、その結果、光量調整が難しくなる。
【００１０】
そこで、本発明の目的は、複数の発光部の発光部毎の色温度情報の不整合を抑制することのできる照明装置、その制御方法、制御プログラム、および照明システム、並びに撮像装置を提供することにある。
【課題を解決するための手段】
【００１１】
上記の目的を達成するため、本発明による照明装置は、被写体に光を照射する複数の発光部を有する照明装置であって、前記発光部の各々について調色又は配光角調整のための光学アクセサリが装着されたか否かを検知する第１の検知手段と、前記複数の発光部の各々における発光状態を示す発光情報と前記第１の検知手段による検知結果とに応じて、前記複数の発光部を発光させた際の発光による色温度を示す色温度情報を決定する決定手段と、を有することを特徴とする。
【発明の効果】
【００１２】
本発明によれば、複数の発光部の発光部毎の色温度情報の不整合を抑制することができる。
【図面の簡単な説明】
【００１３】
【図１】本発明の第１の実施形態による照明装置を備える撮像装置の一例についてその構成を示す図である。
【図２】図１に示す撮像装置について一部を破断してその構成を示す図である。
【図３】図２に示すリング部と第１および第２の発光部との関係を示す斜視図である。
【図４】図１に示すストロボの発光処理を説明するためのフローチャートである。
【図５】図４に示す色温度通信制御を説明するためのフローチャートである。
【図６】本発明の第２の実施形態によるストロボを備えるカメラの一例についてその構成を示す図である。
【図７】本発明の第３の実施形態によるストロボを備えるカメラの一例についてその構成を示す図である。
【図８】本発明の第４の実施形態によるストロボを備えるカメラの一例についてその構成を示す図である。
【図９】本発明の第４に実施形態に係るカメラを他のストロボとともに示す図である。
【図１０】従来の照明装置の一例を示す斜視図である。
【発明を実施するための形態】
【００１４】
以下に、本発明の実施の形態による照明装置の一例について図面を参照して説明する。
【００１５】
［第１の実施形態］
図１は、本発明の第１の実施形態による照明装置を備える撮像装置の一例についてその構成を示す図である。また、図２は、図１に示す撮像装置について一部を破断してその構成を示す図である。
【００１６】
図１および図２を参照して、図示の撮像装置は、例えば、デジタルカメラ（以下単にカメラと呼ぶ）であり、当該カメラはカメラ本体１００を有している。カメラ本体１００には交換可能な撮影レンズユニット（以下単に撮影レンズと呼ぶ：撮像光学系）２００が装着されている。さらに、カメラ本体１００には着脱可能な照明装置（ストロボ装置：以下単にストロボと呼ぶ）３００が取り付けられている。
【００１７】
ストロボ３００は、第１の発光部３００ａおよび第２の発光部３００ｂを有している。第１の発光部３００ａおよび第２の発光部３００ｂは、図２に示すリング部３００ｄに着脱可能に取り付けられ、リング部３００ｄは撮影レンズ２００に着脱可能に装着される。そして、第１の発光部３００ａおよび第２の発光部３００ｂは本体部３００ｃにケーブルによって接続されている。
【００１８】
なお、第１の発光部３００ａおよび第２の発光部３００ｂには、それぞれ着脱可能に光学アクセサリ５００ａおよび５００ｂが装着されている。
【００１９】
カメラ本体１００には、マイクロコンピュータ（ＣＣＰＵ：以下カメラマイコンと呼ぶ）１０１が備えられており、カメラマイコン１０１はカメラ全体の制御を司る。カメラマイコン１０１はマイコン内蔵ワンチップＩＣ回路である。カメラマイコン１０１はＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄコンバータ、およびＤ／Ａコンバータなどを有している。そして、カメラマイコン１０１は、プログラム（つまり、ソフトウェア）によってカメラ本体、撮影レンズ２００、およびストロボ３００の制御を行うとともに、各種の条件判定を行う。
【００２０】
撮像素子１０２は赤外カットフィルタおよびローパスフィルタなどを備えるＣＣＤ又はＣＭＯＳセンサーである。そして、撮像素子１０２には後述するレンズ群２０２を介して光学像（被写体像）が結像して、撮像素子１０２は光学像に応じた電気信号（アナログ信号）を出力する。
【００２１】
シャッター１０３は非撮影の際には撮像素子１０２を遮光して、撮影の際にはシャッター幕を開いて撮像素子１０２に光学像を導く。主ミラー（ハーフミラー）１０４は非撮影位置（第１の位置）と撮影位置（第２の位置）とに選択的に移動する。非撮影位置においては、主ミラー１０４はレンズ群２０２を介して入射する光を反射してピント板１０５に結像させる。撮影者はピント板１０５に投影された像をアイピース１２０によって目視で確認する。撮影位置においては、主ミラー１０４は撮影レンズ２００の光路（撮影光路）から退避する。
【００２２】
測光回路（ＡＥ）１０６は測光センサーを備えており、ここでは、測光センサーとして複数の画素を備えるＣＣＤ又はＣＭＯＳセンサーなどの撮像素子が用いられる。そして、測光センサーは複数の領域に分割されており、領域毎に測光を行う。なお、測光センサーにはペンタプリズム１１４を介してピント板１０５に結像した被写体像が入射する。
【００２３】
焦点検出回路（ＡＦ）１０７は測距センサーを備えており、当該測距センサーは複数点を測距ポイントとして、測距ポイント毎のデフォーカス量を示す焦点情報を出力する。
【００２４】
ゲイン切換回路１０８は撮像素子１０２の出力である電気信号を増幅するゲインを切り換えるための回路である。ゲイン切換回路１０８は、カメラマイコン１０１の制御下で撮影の条件および撮影者の指示などに応じてゲイン切り換えを行う。Ａ／Ｄ変換器１０９は撮像素子１０２の出力である電気信号をデジタル信号に変換する。タイミングジェネレータ（ＴＧ）１１０は撮像素子１０２の出力である電気信号とＡ／Ｄ変換器１０９によるＡ／Ｄ変換のタイミングとを同期させる。
【００２５】
信号処理回路１１１はＡ／Ｄ変換器１０９の出力であるデジタル信号について所定の現像パラメータに応じて画像処理を行って画像データを生成する。なお、ここでは、処理画像に用いられるメモリなどは省略されている。
【００２６】
入力部１１２は、電源スイッチ、レリーズスイッチ、および設定ボタンなどを備える操作部を有し、カメラマイコン１０１は入力部１１２の入力に応じて各種処理を行う。レリーズスイッチが１段階操作（半押し）されると、第１のレリーズスイッチＳＷ１がＯＮとなって、カメラマイコン１０１は焦点調節および測光などの撮影準備動作を開始する。また、レリーズスイッチが２段階操作（全押し）されると、第２のレリーズスイッチＳＷ２がＯＮとなって、カメラマイコン１０１は露光および現像処理などの撮影動作を開始する。さらに、入力部１１２に備えられた設定ボタンを操作することによって、ストロボ３００の各種設定を行うことができる。
【００２７】
表示部１１３には設定されたカメラの撮影モード、その他の撮影情報などが表示される。なお、表示部１１３は、例えば、液晶表示装置および発光素子などを有している。
【００２８】
ペンタプリズム１１４はピント板１０５に結像した被写体像を測光回路１０６に備えられた測光センサーに導くとともにアイピース１２０に導く。サブミラー１１５は主ミラー１０４を透過した光を焦点検出回路１０７に備えられた測距センサーに導く。
【００２９】
通信ラインＬＣおよびＳＣはそれぞれカメラ本体１００と撮影レンズ２００およびストロボ３００とのインタフェースである。例えば、カメラマイコン１０１をホストとして、カメラ本体１００、撮影レンズ２００、およびストロボ３００はデータの交換およびコマンドの伝達を相互に行う。例えば、図１に示すように、通信ラインＬＣおよびＳＣはそれぞれ端子１２０および１３０を有している。そして、端子１２０は、ＳＣＬＫ＿Ｌ端子、ＭＯＳＩ＿Ｌ端子、ＭＩＳＯ＿Ｌ端子、およびＧＮＤ端子を備えている。
【００３０】
ＳＣＬＫ＿Ｌ端子はカメラ本体１００と撮影レンズ（レンズユニットともいう）２００との通信を同期させるための端子である。ＭＯＳＩ＿Ｌ端子はカメラ本体１００からレンズユニット２００にデータを送信するための端子である。ＭＩＳＯ＿Ｌ端子はレンズユニット２００からカメラ本体１００に送信されたデータを受信するための端子である。そして、ＧＮＤ端子にはカメラ本体１００およびレンズユニット２００が接続される。
【００３１】
端子１３０はＳＣＬＫ＿Ｓ端子、ＭＯＳＩ＿Ｓ端子、ＭＩＳＯ＿Ｓ端子、およびＧＮＤ端子を備えている。ＳＣＬＫ＿Ｓ端子はカメラ本体１００とストロボ３００との通信を同期させるための端子である。ＭＯＳＩ＿Ｓ端子はカメラ本体１００からストロボ３００にデータを送信するための端子である。ＭＩＳＯ＿Ｓ端子はストロボ３００からカメラ本体１００に送信されたデータを受信するための端子である。そして、ＧＮＤ端子にはカメラ本体１００およびストロボ３００が接続される。
【００３２】
撮影レンズ２００は、マイクロコンピュータ（ＬＰＵ：レンズマイコン）２０１を有している。レンズマイコン２０１は撮影レンズ２００全体の制御を司る。レンズマイコン２０１は、例えば、ＣＰＵ、ＲＯＭ、ＲＡＭ、入出力制御回路、マルチプレクサ、タイマー回路、ＥＥＰＲＯＭ、Ａ／Ｄコンバータ、およびＤ／Ａコンバータを有するマイコン内蔵ワンチップＩＣ回路である。
【００３３】
撮影レンズ２００は複数枚のレンズを有するレンズ群２０２を備えており、当該レンズ群２０２には少なくともフォーカスレンズが含まれている。レンズ駆動部２０３はレンズ群２０２において少なくともフォーカスレンズを光軸に沿って移動させる。カメラマイコン１０１は焦点検出回路１０７の検出出力に基づいて、レンズ群２０２を駆動する際の駆動量を算出して、レンズマイコン２０１に送る。
【００３４】
エンコーダ２０４はレンズ群２０２を駆動した際、レンズ群２０２の位置を検出するためのものである。レンズマイコン２０１は、カメラマイコン１０１で算出された駆動量に応じてレンズ駆動部２０３を制御する。そして、レンズマイコン２０１はエンコーダ２０４の出力が示す位置を参照してレンズ群２０２を駆動制御して焦点調節を行う。絞り制御回路２０６は、レンズマイコン２０１の制御下で絞り２０５を制御する。
【００３５】
ストロボ３００は、カメラ本体１００に着脱可能に装着される本体部３００ｃを備えている。そして、前述のように、本体部３００ｃにはケーブルによって第１の発光部３００ａおよび第２の発光部３００ｂが接続される。第１の発光部３００ａおよび第２の発光部３００ｂはリング部３００ｄに着脱可能に装着されている。リング部３００ｄは撮影レンズ２００の先端に着脱可能に装着され、これによって、発光は撮影レンズ２００の先端から行われる。
【００３６】
なお、第１の発光部３００ａおよび第２の発光部３００ｂはそれぞれ上下方向および左右方向に回動可能に保持されている。以下の説明では、リング部３００ｄの左右に第１の発光部３００ａおよび第２の発光部３００ｂを装着した状態を正位置とする。そして、本体部３００ｃ側を上側として、第１の発光部３００ａおよび第２の発光部３００ｂの回動方向を説明する。
【００３７】
ストロボ３００は、マイクロコンピュータ（ＦＰＵ：ストロボマイコン）３１０を備えており、ストロボマイコン３１０はストロボ３００全体の制御を司る。ストロボマイコン３１０は、例えば、ＣＰＵ、ＲＯＭ、ＲＡＭ、入出力制御回路、マルチプレクサ、タイマー回路、ＥＥＰＲＯＭ、Ａ／Ｄ、およびＤ／Ａコンバータを有するマイコン内蔵ワンチップＩＣ回路である。
【００３８】
電池３０１はストロボ３００の電源（ＶＢＡＴ）であり、昇圧回路３０２は、昇圧部３０２ａ、電圧検出に用いる抵抗３０２ｂおよび３０２ｃ、およびメインコンデンサ３０２ｄを有している。昇圧回路３０２は昇圧部３０２ａによって電池３０１の電圧を数百Ｖに昇圧して、メインコンデンサ３０２ｄに発光のための電気エネルギーを蓄積する。メインコンデンサ３０２ｄの充電電圧は抵抗３０２ｂおよび３０２ｃによって分圧されて、当該分圧された電圧はストロボマイコン３１０のＡ／Ｄ変換端子に入力される。
【００３９】
ストロボ３００は第１の発光部制御回路３１６ａおよび第２の発光部制御回路３１６ｂを有している。そして、第１の発光部制御回路３１６ａおよび第２の発光部制御回路３１６ｂはそれぞれ第１の発光部３００ａおよび第２の発光部３００ｂの発光を制御する。
【００４０】
第１の発光部３００ａにおいて、放電管３０５ａは、トリガー回路３０３ｂから印加される数ＫＶのパルス電圧を受けてメインコンデンサ３０２ｄに充電されたエネルギーによって励起して発光する。そして、放電管３０５ａの光は被写体などに照射される。
【００４１】
フォトダイオード３１４ａは放電管３０５ａから光を受光して、その発光量に応じた検知出力（電流）を出力する。フォトダイオード３１４ａは直接又はグラスファイバーなどを介して放電管３０５ａの光を受光する。
【００４２】
第１の発光部制御回路３１６ａにおいて、積分回路３０９ａはフォトダイオード３１４ａの出力である電流を積分する。そして、積分回路３０９ａの出力（積分出力）はコンパレータ３１５ａの反転入力端子およびストロボマイコン３１０のＡ／Ｄコンバータ端子（ＩＮＴ＿ＡＤ＿Ａ）に入力される。
【００４３】
コンパレータ３１５ａの非反転入力端子はストロボマイコン３１０のＤ／Ａコンバータ出力端子（ＩＮＴ＿ＤＡＣ＿Ａ）に接続され、コンパレータ３１５ａの出力端子はＡＮＤゲート３１１ａの入力端子の一方に接続される。ＡＮＤゲート３１１ａの入力端子の他方はストロボマイコン３１０の発光制御端子（ＦＬ＿ＳＴＡＲＴ＿Ａ）と接続され、ＡＮＤゲート３１１の出力端子は第１の発光制御回路３０４ａに接続される。そして、第１の発光制御回路３０４ａは放電管３０５ａの発光開始および発光停止を制御する。
【００４４】
第１の発光部３００ａにおいて、トリガー回路３０３ａはストロボマイコン３１０のトリガー端子（ＴＲＩＧ＿Ａ）に接続され、ストロボマイコン３１０によって制御される。放電管３０５ａは、トリガー回路３０３ａから印加される数ＫＶのパルス電圧を受けてメインコンデンサ３０２ｄに充電されたエネルギーによって励起して発光する。そして、放電管３０５ａの光は被写体などに照射される。
【００４５】
フォトダイオード３１４ａは放電管３０５ａから光を受光して、その発光量に応じた検知出力（電流）を出力する。フォトダイオード３１４ａは直接又はグラスファイバーおよびＮＤフィルタなどを介して放電管３０５ａの光を受光する。
【００４６】
第１の発光部制御回路３１６ａにおいて、積分回路３０９ａはフォトダイオード３１４ａの出力である電流を積分する。そして、積分回路３０９ａの出力（積分出力）はコンパレータ３１５ａの反転入力端子およびストロボマイコン３１０のＡ／Ｄコンバータ端子（ＩＮＴ＿ＡＤ＿Ａ）に入力される。
【００４７】
コンパレータ３１５ａの非反転入力端子はストロボマイコン３１０のＤ／Ａコンバータ出力端子（ＩＮＴ＿ＤＡＣ＿Ａ）に接続され、コンパレータ３１５ａの出力端子はＡＮＤゲート３１１ａの入力端子の一方に接続される。ＡＮＤゲート３１１ａの入力端子の他方はストロボマイコン３１０の発光制御端子（ＦＬ＿ＳＴＡＲＴ＿Ａ）と接続され、ＡＮＤゲート３１１の出力端子は第１の発光制御回路３０４ａに接続される。そして、第１の発光制御回路３０４ａは放電管３０５ａの発光開始および発光停止を制御する。
【００４８】
同様に、第２の発光部３００ｂにおいて、トリガー回路３０３ｂはストロボマイコン３１０のトリガー端子（ＴＲＩＧ＿Ｂ）に接続され、ストロボマイコン３１０によって制御される。放電管３０５ｂは、トリガー回路３０３ｂから印加される数ＫＶのパルス電圧を受けてメインコンデンサ３０２ｄに充電されたエネルギーによって励起して発光する。そして、放電管３０５ｂの光は被写体などに照射される。
【００４９】
フォトダイオード３１４ｂは放電管３０５ｂａから光を受光して、その発光量に応じた検知出力（電流）を出力する。フォトダイオード３１４ｂは直接又はグラスファイバーおよびＮＤフィルタなどを介して放電管３０５ｂの光を受光する。
【００５０】
第２の発光部制御回路３１６ｂにおいて、積分回路３０９ｂはフォトダイオード３１４ｂの出力である電流を積分する。そして、積分回路３０９ｂの積分出力はコンパレータ３１５ｂの反転入力端子およびストロボマイコン３１０のＡ／Ｄコンバータ端子（ＩＮＴ＿ＡＤ＿Ｂ）に入力される。
【００５１】
コンパレータ３１５ｂの非反転入力端子はストロボマイコン３１０のＤ／Ａコンバータ出力端子（ＩＮＴ＿ＤＡＣ＿Ｂ）に接続され、コンパレータ３１５ｂの出力端子はＡＮＤゲート３１１ｂの入力端子の一方に接続される。ＡＮＤゲート３１１ｂの入力端子の他方はストロボマイコン３１０の発光制御端子（ＦＬ＿ＳＴＡＲＴ＿Ｂ）と接続され、ＡＮＤゲート３１１の出力端子は第２の発光制御回路３０４ｂに接続される。そして、第２の発光制御回路３０４ｂは放電管３０５ｂの発光開始および発光停止を制御する。
【００５２】
第１の発光部３００ａには、反射傘ユニット３０７ａが備えられており、この反射傘ユニット３０７ａは、前述の放電管３０５ａおよび反射傘３０６ａを有している。そして、光学パネル３０８ａなどを有する光学系が反射傘ユニット３０７ａに保持されている。
【００５３】
反射傘３０６ａは放電管３０５ａから発せられた光を反射させて所定の方向に導く。また、光学系は第１の発光部３００ａによる光の照射角を変更する。なお、反射傘ユニット３０６ａと光学パネル３０８ａとの相対的位置を変更することによって照射範囲を変化させることができる。
【００５４】
アクセサリ検知部３７０ａは、例えば、調色又は配光角調整のための光学アクセサリ５００ａの装着の有無を検知するスイッチである。アクセサリ検知部３７０ａは装着の有無を示すＯＮ−ＯＦＦ情報（検知結果）をストロボマイコン３１０に送る。なお、複数の光学アクセサリを同時に装着することができ、光学アクセサリの数に対応してアクセサリ検知部が備えられる。また、アクセサリ検知部はスイッチに限らず、既知のセンサーを用いるようにしてもよい。
【００５５】
光学アクセサリ５００ａは、例えば、カラーフィルタ、バウンスアダプタ、又はディフューザなどであり、第１の発光部３００ａの光学パネル面に装着される。そして、光学アクセサリ５００ａはストロボ光の調色、拡散、又は配光角の変更などを行って、撮影の際のライティング効果を向上させる。光学アクセサリ５００ａにはアクセサリ検知部３７０ａと相対する位置に突起が設けられ、当該突起がアクセサリ検知部３７０ａを押すことによって装着が検知される。
【００５６】
同様に、第２の発光部３００ｂには、反射傘ユニット３０７ｂが備えられ、この反射傘ユニット３０７ｂは、前述の放電管３０５ｂおよび反射傘３０６ｂを有している。そして、光学パネル３０８ａなどを有する光学系が反射傘ユニット３０７ｂに保持されている。さらには、第２の発光部３００ｂには、アクセサリ検知部３７０ｂが備えられ、アクセサリ検知部３７９ｂによって光学アクセサリ５００ｂの装着の有無が検知される。
【００５７】
なお、第１の発光部３００ａおよび第２の発光部３００ｂの配光角はそれぞれ反射傘ユニット３０７ａおよび３０７ｂの移動に応じて変化する。また、第１の発光部３００ａおよび第２の発光部３００ｂの照射方向はリング部３００ｄに対する回動によって変化する。つまり、第１の発光部３００ａおよび第２の発光部３００ｂはリング部３００ｄに対して相対的に上下および左右方向に回動可能である。
【００５８】
入力部３１２は、電源スイッチ、ストロボ３００の動作モードを設定するモード設定スイッチ、および各種パラメータを設定する設定ボタンなど備える操作部を有している。そして、ストロボマイコン３１０は、入力部３１２の入力に応じて各種処理を行う。表示部３１３にはストロボ３００の状態を示す情報が表示される。なお、表示部３１３には液晶装置および発光素子が備えられている。
【００５９】
図４は、図２に示すリング部と第１および第２の発光部との関係を示す斜視図である。
【００６０】
前述のリング部３００ｄは、レンズユニット２００に形成された突起部に爪（図示せず）を引っ掛けて装着される。リング部３００ｄには左右対称の位置に第１の発光部３００ａおよび第２の発光部３００ｂが装着される台座が形成されている。そして、台座は円周方向に回動可能である。これによって、図示のように、第１の発光部３００ａおよび第２の発光部３００ｂはリング部３００ｄに対して相対的に上下および左右方向に回動可能となる。
【００６１】
図４は、図１に示すストロボの発光処理を説明するためのフローチャートである。
【００６２】
入力部３１２に備えられた電源スイッチがオンされてストロボマイコン３１０が動作可能となると、ストロボマイコン３１０は、図４に示すフローチャートに係る処理を開始する。
【００６３】
まず、ストロボマイコン３１０は、ストロボマイコンに備えられたメモリおよびポートを初期化する（ステップＳ３０１）。この際、ストロボマイコン３１０は入力部３１２に備えられたスイッチの状態および予め設定された入力情報を読み込んで、発光量の決定方法および発光タイミングなどの発光モードの設定を行う。
【００６４】
続いて、ストロボマイコン３１０は、昇圧回路３０２を制御してメインコンデンサ３０２ｄの充電を開始する（ステップＳ３０２）。メインコンデンサ３０２ｄの充電を開始した後、ストロボマイコン３１０は、アクセサリ検知部３７０ａおよび３７０ｂで検知されたアクセサリ検知情報を内蔵メモリに格納する（ステップＳ３０３）。なお、以前にアクセサリ検知情報が格納されている場合には、ストロボマイコン３１０はアクセサリ検知情報を更新する。
【００６５】
ストロボマイコン３１０は、その他の設定および検出結果などの各種情報を内蔵メモリに格納する（ステップＳ３０４）。各種情報には、ストロボ３００における情報の他に、必要に応じてカメラ本体１００およびレンズユニット２００における情報が含まれる。例えば、ストロボマイコン３１０は、カメラマイコン１０１から通信ラインＳＣを介して得た焦点距離情報を各種情報の１つとして内蔵メモリに格納する。なお、以前に焦点距離情報が格納されている場合には、ストロボマイコン３１０は焦点距離情報を更新する。
【００６６】
続いて、ストロボマイコン３１０は、入力部３１２において設定された発光モードおよび各種情報を表示部３１３に表示する（ステップＳ３０５）。そして、ストロボマイコン３１０は、メインコンデンサ３０２ｄの充電が完了しているか否かを判定する（ステップＳ３０６）。充電が完了していないと（ステップＳ３０６において、ＮＯ）、ストロボマイコン３１０は待機する。一方、充電が完了すると（ステップＳ３０６において、ＹＥＳ）、ストロボマイコン３１０は充電完了信号をカメラマイコン１０１に送信して、ステップＳ３０７の処理に進む。
【００６７】
トロボマイコン３１０は、カメラマイコン１０１から発光指示である発光開始信号を受信したか否かを判定する（ステップＳ３０７）。発光開始信号を受信しないと（ステップＳ３０７において、ＮＯ）、ストロボマイコン３１０はステップＳ３０２の処理に戻る。
【００６８】
一方、発光開始信号を受信すると（ステップＳ３０７において、ＹＥＳ）、ストロボマイコン３１０は発光開始信号に応じて第１の発光制御回路３０４ａおよび第２の発光制御回路３０４ｂを制御して放電管３０５ａおよび３０５ｂを発光させる（ステップＳ３０８）。本発光終了の後、ストロボマイコン３１０はメインコンデンサ３０２ｄの電圧などの発光に関する情報を内蔵メモリに格納して、ステップＳ３０９の処理に進む。
【００６９】
なお、ステップＳ３０８の処理では、調光用のプリ発光と本発光のように一連の発光を行う場合には、ストロボマイコン３１０は一連の発光が終了した後にステップＳ３０９の処理に進む。
【００７０】
ストロボマイコン３１０は、発光に関する情報に基づいて後述するように撮影によって得られた画像のホワイトバランス調整に用いる色温度情報を決定する。そして、ストロボマイコン３１０は、当該色温度情報を通信ラインＳＣを介してカメラマイコン１０１に送る色温度通信制御を行う（ステップＳ３０９）。その後、ストロボマイコン３１０はステップＳ３０２の処理に戻る。
【００７１】
なお、色温度情報には撮影によって得られた画像におけるホワイトバランスを決定する際の情報が含まれている。
【００７２】
図５は、図４に示す色温度通信制御を説明するためのフローチャートである。なお、以下の説明では、色温度情報として、色温度値および色偏差値をセット（一組）とする情報を説明するが、色温度情報として、例えば、三刺激値又は各種表色系における色温度値、もしくは波長情報などを用いるようにしてもよい。
【００７３】
図４で説明したステップＳ３０８においてストロボ００が本発光すると、ストロボマイコン３１０は図示の色温度通信制御を開始する。
【００７４】
まず、ストロボマイコン３１０は、色温度通信制御に係る設定を初期化する（ステップＳ４０１）。なお、図４で説明したステップＳ３０１において色温度通信制御に係る設定を初期化した場合には、ステップＳ４０１の処理を省略することができる。
【００７５】
続いて、ストロボマイコン３１０は、図３で説明したステップＳ３０３において内蔵メモリにて格納したアクセサリ検知情報を読み込む。そして、ストロボマイコン３００は、発光の際に光学アクセサリ５００ａおよび５００ｂの少なくとも一方が装着されているか否かを確認する（ステップＳ４０２）。この際には、ストロボマイコン３００は装着された光学アクセサリ５００ａおよび５００ｂの種類についても確認する。
【００７６】
なお、光学アクセサリ５００ａおよび５００ｂが装着されていない場合には、ステップ４０２の処理を省略するようにしてもよい。そして、ストロボマイコン３１０は内蔵メモリに光学アクセサリ５００ａおよび５００ｂに関する情報を格納する。
【００７７】
次に、ストロボマイコン３１０は、確認した光学アクセサリ５００ａおよび５００ｂに関する情報に基づいて、予め内蔵メモリに格納された光学アクセサリ装着際の発光量補正値を内蔵メモリから読み込む（ステップＳ４０３）。当該発光量補正値は、光学アクセサリ装着の際に生じる光量の増減を補正するためのものである。
【００７８】
なお、光学アクセサリ５００ａおよび５００ｂが装着されていない場合には、ステップＳ４０３の処理を省略するようにしてもよい。そして、ストロボマイコン３１０は内蔵メモリに光学アクセサリ５００ａおよび５００ｂを装着した際の発光量補正値を格納する。
【００７９】
続いて、ストロボマイコン３１０は、第１の発光部３００ａおよび第２の発光部３００ｂに関する発光状態を示す発光情報を取得する（ステップＳ４０４）。なお、当該発光情報には、各発光部における発光量、発光の際のメインコンデンサ３０２ｄの充電電圧、閃光発光又はフラット発光であるかを示す発光方法などの情報が含まれている。各発光部における発光量は、例えば、積分回路３０９ａおよび３０９ｂの積分出力又はストロボマイコン３１０による発光指示などに基づいて算出される。
【００８０】
その他、メインコンデンサ３０２ｄが発光部に対応して複数備えられている場合には、メインコンデンサの電圧に応じて各発光部における発光量を算出するようにしてもよい。さらには、プリ発光を行う場合には、調光用プリ発光光量を測光回路１０６で測光した結果を用いるようにしてもよい。この際は、各発光部におけるプリ発光をタイミングをずらして行い、測光回路１０６で測光を行う。そして、各発光部のプリ発光測光結果を本発光前に内蔵メモリに記憶すれば、本発光前のプリ発光回数の増加を防止することができる。ストロボマイコン３００は、各発光部における発光情報を内蔵メモリに格納する。
【００８１】
続いて、ストロボマイコン３１０は、ステップＳ４０２からＳ４０４で得た情報に基づいて発光量比較演算を行う（ステップＳ４０５）。ここでは、ストロボマイコン３１０は、各発光部からの光が被写体に届く割合を求めて、当該割合を比較する。つまり、放電管３０５ａおよび３０５ｂの光量比のみでなく、光学パネル３０８ａなどを含む光学系と光学アクセサリ５００ａおよび５００ｂの透過率の差による減衰などを考慮して発光量比較演算が行われる。
【００８２】
例えば、発光方法が閃光発光で、第１の発光部３００ａに対する第２の発光部３００ｂの発光指示値を−１ＥＶ低い値とする光量比率で発光を行ったものとする。なお、ここでは、光学アクセサリ５００ａが検知され、かつ光学アクセサリ５００ａは光量を−２ＥＶ下げるディフューザであるとする。そして、ストロボマイコン３１０はステップＳ４０３において−２ＥＶに対応する発光量補正値を読み込んだものとする。
【００８３】
この場合、第１の発光部３００ａおよび第２の発光部３００ｂの光学系が同一であるとすると、被写体に届く光量の差として、光学アクセサリ５００ａが装着された第１の発光部３００ａの方が−１ＥＶ低くなる演算結果が得られる。
【００８４】
なお、発光指示値および透過率情報に基づいて発光量比較演算を行う他に、プリ発光の測光結果を得ていた場合には、当該測光結果は光学アクセサリを透過した光の測光結果であるので、この測光結果を比較するようにしてもよい。さらには、ステップＳ３０４において発光部の光量比制御（レシオ設定）が設定されているか否かに応じて、発光指示値又はプリ発光の測光結果を用いるかを切り替えるようにしてもよい。
【００８５】
上述のようにして、発光量比較演算を行った後、ストロボマイコン３１０は最も被写体に届く光量の割合が大きい発光部に関する情報（最大発光部情報）を内蔵メモリに格納する。なお、最適なホワイトバランスを得るため、後述するように色温度情報を加重平均して求める際には、ステップＳ４０５を省略するようにしてもよい。
【００８６】
続いて、ストロボマイコン３１０は、発光部毎の発光情報に基づいてトータルの発光量（合計発光量）を算出する（ステップＳ４０６：合計発光量換算）。そして、ストロボマイコン３１０は合計発光量を内蔵メモリに格納する。
【００８７】
次に、ストロボマイコン３１０は、ステップＳ４０２からＳ４０６で得られた情報に基づいて色温度情報を決定する（ステップＳ４０７）。そして、ストロロボマイコン３１０は当該色温度情報を内蔵メモリに格納する。
【００８８】
ストロボマイコン３１０に備えられた内蔵メモリには色温度情報テーブルが格納されている。当該色温度情報テーブルには、光学アクセサリ５００ａおよび５００ｂの有無と発光方法毎に、合計発光量とメインコンデンサ３０２ｄの充電電圧とに対応して色温度情報が記録（規定）されている。
【００８９】
例えば、前述のステップＳ４０５に関連して説明した例では、第２の発光部３００ｂの方が被写体に届く光量の割合が大きい。よって、ストロボマイコン３１０は第２の発光部３００ｂに係る情報に基づいて色温度情報を決定する。上述の例では、第２の発光部３００ｂで閃光発光を行い、第２の発光部３００ｂには光学アクセサリ５００ｂが装着されていない。よって、ストロボマイコン３１０は発光方法が閃光発光でかつ光学アクセサリが未装着である色温度情報テーブルを参照する。
【００９０】
また、第１の発光部３００ａが１／１発光で、第２の発光部３００ｂが１／２発光である場合には、合計発光量は３／４発光相当となる。よって、ストロボマイコン３１０は、発光の際のメインコンデンサ３０２ｄの充電電圧が３３０Ｖであると、色温度情報テーブルを参照して３／４発光および３３０Ｖに対応する色温度情報（色温度値および色偏差値）を取得する。この際には、１つの発光部を発光させる場合と複数の発光部を発光させる場合とで放電管３０５ａおよび３０５ｂを流れる電流が異なる。よって、発光の際の色温度値および色偏差値が異なるので、ステップＳ４０６において求めた合計発光量を用いて色温度情報が決定される。
【００９１】
放電管３０５ａおよび３０５ｂを流れる電流と発光量との間には相関関係があるので、放電管３０５ａおよび３０５ｂを流れる電流を色温度情報を決定する際の指針として用いることができる。また、色温度情報テーブルを圧縮するなどして分解能を粗くした場合に、色温度情報テーブルにおける中間の発光量および充電電圧で放電管３０５ａおよび３０５ｂを発光させたとする。この場合には、色温度情報は当該発光量および充電電圧の前後における色温度情報の平均値を用いることが望ましい。
【００９２】
なお、発光量比較演算を省略した場合には、色温度情報は加重平均を用いて決定される。加重平均によって色温度情報を決定する場合には、ストロボマイコン３１０は発光部毎の色温度情報テーブルに基づいて色温度情報を求める。そして、ストロボマイコン３１０は各発光部の発光量又はプリ発光測光結果に応じて色温度情報を加重平均して色温度情報を決定する。
【００９３】
続いて、ストロボマイコン３１０は、内蔵メモリに格納した色温度情報を通信ラインＳＣを介してカメラマイコン１０１に送る（ステップＳ４０８）。そして、ストロボマイコン３１０は色温度通信制御を終了する。
【００９４】
なお、カメラマイコン１０１は色温度情報を受信すると、当該色温度情報を内蔵メモリに格納する。そして、カメラマイコン１０１はカメラ本体１００の設定に応じて、色温度情報を用いて撮影によって得られた画像のホワイトバランス調整を行う。さらに、カメラマイコン１０１はホワイトバランス調整後の画像データに所定の情報を付加する。その後、カメラマイコン１０１は画像データを記録媒体（図示せず）に保存して、一連の撮像処理を終了する。
【００９５】
このように、本発明の第１の実施形態では、発光部毎の発光量の割合に応じて、ホワイトバランス調整に用いられる色温度情報を決定する。これによって、発光部毎の色温度情報の不整合を抑制して、良好にホワイトバランス調整を行うことができる。
【００９６】
［第２の実施形態］
続いて、本発明の第２の実施形態によるストロボを備えるカメラの一例について説明する。
【００９７】
図６は、本発明の第２の実施形態によるストロボを備えるカメラの一例についてその構成を示す図である。なお、図６において、図１に示すカメラと同一の構成要素については同一の参照番号を付して説明を省略する。
【００９８】
図示のように、第１の発光部３００ａおよび第２の発光部３００ｂには、それぞれ第１のバウンス検知部３７１ａおよび第２のバウンス検知部３７１ｂが備えられている。第１のバウンス検知部３７１ａおよび第２のバウンス検知部３７１ｂは、それぞれ第１の発光部３００ａおよび第２の発光部３００ｂが所定の正位置からその照射方向が変更されているか検知する。つまり、第１のバウンス検知部３７１ａおよび第２のバウンス検知部３７１ｂは、それぞれ第１の発光部３００ａおよび第２の発光部３００ｂがバウンス状態であるか否かを検知する。
【００９９】
なお、第１のバウンス検知部３７１ａおよび第２のバウンス検知部３７１ｂとして、例えば、バウンス状態の有無のみを検知するスイッチタイプのセンサーが用いられる。さらには、第１のバウンス検知部３７１ａおよび第２のバウンス検知部３７１ｂとして、照射方向の角度（つまり、バウンス角度）を検知するエンコーダ又はポテンショメータなどの角度検出センサーを用いるようにしてもよい。
【０１００】
ここで、図４を参照して、本発明の第２の実施形態によるストロボで行われる発光処理について説明する。なお、ここでは、第１の実施形態によるストロボで行われる発光処理と異なる処理についてのみ説明する。
【０１０１】
ステップＳ３０４において、ストロボマイコン３１０は、各種情報の一つとして第１のバウンス検知部３７１ａおよび第２のバウンス検知部３７１ｂで検知されたバウンス検知結果を内蔵メモリに格納する。なお、バウンス検知部がスイッチタイプのセンサーであれば、ストロボマイコン３１０はバウンス状態であるか否かを示すビットを内蔵メモリに記録する。一方、角度検出センサーであれば、ストロボマイコン３１０はバウンス角度を内蔵メモリに格納するか又は内蔵メモリに格納されたバウンス角度を更新する。
【０１０２】
続いて、図５を参照して、本発明の第２の実施形態によるストロボで行われる色温度通信制御について説明する。なお、ここでは、第１の実施形態によるストロボで行われる色温度通信制御と異なる処理についてのみ説明する。
【０１０３】
ステップＳ４０４において、ストロボマイコン３１０は、各発光部に係る発光情報を取得する際、バウンス検知結果を取得する。そして、ストロボマイコン３１０は発光情報とともに、バウンス検知結果を内蔵メモリに格納する。
【０１０４】
ステップＳ４０５において、ストロボマイコン３１０は、前述のように、ステップＳ４０２からＳ４０４で得た各種情報に基づいて発光量比較演算を行う。この際、ストロボマイコン３１０はバウンス検出結果を考慮して発光量比較演算を行う。
【０１０５】
例えば、第１のバウンス検知部３７１ａおよび第２のバウンス検知部３７１ｂがスイッチタイプのセンサーであるとする。この場合、第１の発光部３００ａおよび第２の発光部３００ｂがバウンス状態であるとそれぞれ被写体に届く光が減衰する。よって、この場合には、ストロボマイコン３１０はバウンス状態である発光部による発光量を数ＥＶ減衰した状態して発光量比較演算を行う。
【０１０６】
第１のバウンス検知部３７１ａおよび第２のバウンス検知部３７１ｂが角度検出センサーの場合には、ストロボマイコン３１０はバウンス角度に応じて、コサイン４乗則に基づいて発光量の減衰量を求める。そして、発光量比較演算を行った後、ストロボマイコン３１０は最も被写体に届く光量の割合が大きい発光部に係る情報を内蔵メモリに格納する。
【０１０７】
なお、第１の実施形態と同様に、色温度情報を加重平均によって求める場合は、ステップＳ４０５を省略するようにしてもよい。この際は、ストロボマイコン３１０は、ステップＳ４０７において発光部毎の色温度情報テーブルを参照して色温度情報を求める。そして、ストロボマイコン３１０は各発光部の発光量と発光部毎のバウンス検知結果とに応じて色温度情報を加重平均して色温度情報を決定する。
【０１０８】
このように、本発明の第２の実施形態では、バウンス検知結果を考慮して色温度情報を決定するようにしたので、発光部がバウンス状態にあるか否かに応じて精度よく色温度情報を決定することができる。
【０１０９】
［第３の実施形態］
続いて、本発明の第３の実施形態によるストロボを備えるカメラの一例について説明する。
【０１１０】
図７は、本発明の第３の実施形態によるストロボを備えるカメラの一例についてその構成を示す図である。なお、図７において、図１に示すカメラと同一の構成要素については同一の参照番号を付して説明を省略する。
【０１１１】
図示のように、第１の発光部３００ａおよび第２の発光部３００ｂには、それぞれ第１の測距ユニット３７２ａおよび第２の測距ユニット３７２ｂが備えられている。第１の測距ユニット３７２ａおよび第２の測距ユニット３７２ｂは、それぞれ第１の発光部３００ａおよび第２の発光部３００ｂから被写体までの距離を測距する。図示の例では、第１の測距ユニット３７２ａおよび第２の測距ユニット３７２ｂの各々は、反射光検出によって被写体から反射された反射光の光量を検知する。そして、ストロボマイコン３１０は反射光量に応じて被写体までの距離を求める。
【０１１２】
ここで、図４を参照して、本発明の第３の実施形態によるストロボで行われる発光処理について説明する。なお、ここでは、第１の実施形態によるストロボで行われる発光処理と異なる処理についてのみ説明する。
【０１１３】
ステップＳ３０８において、ストロボマイコン３１０は、発光開始信号に応じて発光制御回路３０４ａおよび３０４ｂによって放電管３０５ａおよび３０５ｂを発光させる。そして、第１の測距ユニット３７２ａおよび第２の測距ユニット３７２ｂは発光の際に行われる調光用のプリ発光の反射光を受光して、反射光量をストロボマイコン３１０に送る。ストロボマイコン３１０は反射光量に基づいて第１の発光部３００ａおよび第２の発光部３００ｂと被写体との距離を求める。
【０１１４】
ステップＳ３０１において、例えば、マニュアル発光のように調光の必要のない発光モードに設定されている場合においても、同様にしてプリ発光を行って、被写体との距離を求めるようにすればよい。また、プリ発光によって測距を行う際には発光部毎にタイミングをずらして測距を行うようにする。プリ発光終了後、ストロボマイコン３１０は被写体まで距離を被写体距離として内蔵メモリに格納する。
【０１１５】
なお、ステップＳ３０８においては、プリ発光および本発光のように一連の発光を行う場合には、一連の発光が終了した後、ステップＳ３０９の処理に移行する。
【０１１６】
続いて、図５を参照して、本発明の第３の実施形態によるストロボで行われる色温度通信制御について説明する。なお、ここでは、第１の実施形態によるストロボで行われる色温度通信制御と異なる処理についてのみ説明する。
【０１１７】
ステップＳ４０４において、ストロボマイコン３１０は、各発光部に係る発光情報を取得する際、前述のようにして被写体距離を求める。そして、ストロボマイコン３１０は発光情報とともに、被写体距離を内蔵メモリに格納する。
【０１１８】
ステップＳ４０５において、ストロボマイコン３１０は、前述のように、ステップＳ４０２からＳ４０４で得た各種情報に基づいて発光量比較演算を行う。この際、ストロボマイコン３１０は被写体距離を考慮して発光量比較演算を行う。
【０１１９】
例えば、被写体と第１の発光部３００ａとの距離をＸａ、被写体と第２の発光部３００ｂとの距離をＸｂとする。この場合、第１の発光部３００ａに対する第２の発光部３００ｂの光量比（反射光量比）Ｙｂａは距離の二乗則よって次の式（１）で表される。
【０１２０】
【数１】
2019040028.tif 000003
【０１２１】
ストロボマイコン３１０は光量比Ｙｂａを第２の発光部Ｂ３００ｂの光量に乗じて、第１の発光部Ａ３００ａの光量と比較する。なお、第２の発光部３００ｂに対する第１の発光部３００ａの光量比Ｙａｂを求めて、第１の発光部Ａ３００ａの光量に光量比Ｙａｂを乗じて比較するようにしてもよい。また、ガイドナンバーベースによる距離の比率に応じて比較を行うようにしてもよい。
【０１２２】
発光量比較演算を行った後、ストロボマイコン３１０は最も被写体に届く光量の割合が大きい発光部に係る情報を内蔵メモリに格納する。
【０１２３】
なお、第１の実施形態と同様に、色温度情報を加重平均によって求める場合は、ステップＳ４０５を省略するようにしてもよい。この際は、ストロボマイコン３１０は、ステップＳ４０７において発光部毎の色温度情報テーブルを参照して色温度情報を求める。そして、ストロボマイコン３１０は各発光部の発光量と発光部毎の被写体距離とに応じて色温度情報を加重平均して色温度情報を決定する。
【０１２４】
このように、本発明の第２の実施形態では、発光部毎の被写体距離を考慮して色温度情報を決定するようにしたので、発光部と被写体との距離に応じて精度よく色温度情報を決定することができる。
【０１２５】
［第４の実施形態］
続いて、本発明の第４の実施形態によるストロボを備えるカメラの一例について説明する。
【０１２６】
図８は、本発明の第４の実施形態によるストロボを備えるカメラの一例についてその構成を示す図である。なお、図８において、図１に示すカメラと同一の構成要素については同一の参照番号を付して説明を省略する。
【０１２７】
図示のように、本体部３００ｃには、無線ユニット３７３が備えられている。ストロボマイコン３１０は無線ユニット３７３によって、後述するようにしてワイヤレス通信を行う。
【０１２８】
ここでは、ストロボマイコン３１０は無線ユニット３７３によって、同様に無線ユニットを備える他のストロボとワイヤレス双方向通信を行う。ユーザは入力部３１３を用いてＩＤおよびチャンネルなどを設定することによって、同一設定の他のストロボとワイヤレス通信を行うことができる。さらに、ワイヤレス通信を設定する際には、入力部１１２によって通信ラインＳＣを介して設定することができる。
【０１２９】
なお、図示の例では、電波によってワイヤレス通信を行うものとするが、ワイヤレス受光部を設ければ光通信によってワイヤレス通信を行うことができる。
【０１３０】
ここで、図４を参照して、本発明の第４の実施形態によるストロボで行われる発光処理について説明する。なお、ここでは、第１の実施形態によるストロボで行われる発光処理と異なる処理についてのみ説明する。
【０１３１】
ステップＳ３０４において、ストロボマイコン３１０は、各種情報の一つとして、入力部３１３で設定されたＩＤおよびチャンネルなどを通信設定情報として内蔵メモリに格納する。そして、ストロボマイコン３１０は通信設定情報に基づいて同一の通信設定情報が設定された他のストロボを探索する。他のストロボが探索されると、ストロボマイコン３１０は当該他のストロボとワイヤレス通信を開始する。ワイヤレス通信が確立されると、ストロボマイコン３１０はワイヤレス通信状態であることを示すビットを内蔵メモリに格納する。
【０１３２】
ステップＳ３０８において、ストロボマイコン３１０は、発光開始信号に応じて発光制御回路３０４ａおよび３０４ｂによって放電管３０５ａおよび３０５ｂをプリ発光させる。この際、調光用のプリ発光は発光部毎に行われ、測光回路１０６によって測光が行われる。そして、ストロボマイコン３１０はその測光結果を内蔵メモリに格納する。
【０１３３】
なお、ステップＳ３０８においては、プリ発光および本発光のように一連の発光を行う場合には、一連の発光が終了した後、ステップＳ３０９の処理に移行する。
【０１３４】
続いて、図５を参照して、本発明の第４の実施形態によるストロボで行われる色温度通信制御について説明する。なお、ここでは、第１の実施形態によるストロボで行われる色温度通信制御と異なる処理についてのみ説明する。
【０１３５】
ステップＳ４０４において、ストロボマイコン３１０は、各発光部に係る発光情報を取得する際、測光回路１０６で得られた測光結果を取得する。そして、ストロボマイコン３１０は発光情報とともに、測光結果を内蔵メモリに格納する。
【０１３６】
なお、ストロボマイコン３１０はプリ発光による測光結果（他のストロボによる測光結果を含む）を、通信ラインＳＣを介してカメラマイコン１０１から取得する。また、ストロボマイコン３１０は無線ユニット３７３によって、ワイヤレス通信を行っている他のストロボから発光情報を取得する。
【０１３７】
ステップＳ４０５において、ストロボマイコン３１０は、前述のように、ステップＳ４０２からＳ４０４で得た各種情報に基づいて発光量比較演算を行う。
【０１３８】
図９は、本発明の第４に実施形態に係るカメラを他のストロボとともに示す図である。
【０１３９】
図９においては、他のストロボ６０１および６０２を用いて、ストロボ３００（メイン照明装置）を有するカメラによって被写体９００を撮影する例が示されており、所謂ワイヤレス多灯撮影の例が示されている。なお、他のストロボ６０１および６０２とストロボ３００とによって照明システムが構成される。
【０１４０】
ここでは、カメラ本体１００に備えられたストロボ３００には第１の発光部３００ａおよび第２の発光部３００ｂが備えられている。そして、ストロボ３００は無線ユニット３７３を介して、無線ユニットを備えるストロボ６０１および６０２とワイヤレス双方向通信を行っているものとする。
【０１４１】
ストロボ６０１および６０２は所謂クリップオンタイプのストロボであり、それぞれ１つの発光部を有している。発光部３００ｂおよびストロボ６０２の発光部にはそれぞれ光学アクセサリ５００ｂおよび７０２が装着されている。当該光学アクセサリ５００ｂおよび７０２の各々は、例えば、ディフューザである。
【０１４２】
なお、ストロボ３００、６０１、および６０２は被写体９００を照明するようにセッティングされているものとする。
【０１４３】
ここでは、ストロボ３００、６０１、および６０２の発光部はグループ設定されており、第１の発光部３００ａをグループＡとする。また、第２の発光部３００ｂはグループＢとされ、ストロボ６０１の発光部はグループＣとされ、ストロボ６０２の発光部はグループＤとされている。
【０１４４】
いま、前述のステップＳ３０８で得られたプリ発光による測光結果が、Ｃ＞Ａ＞Ｂ＞Ｄであったとする。この場合、測光結果（つまり、プリ発光量）が最も大きいのはグループＣであるので、ストロボマイコン３１０はストロボ６０１に係る発光情報をステップＳ４０７の処理で用いると決定する。
【０１４５】
なお、第１の実施形態と同様に、光量比および光学アクセサリの透過率による減衰などを用いて発光量比較演算を行う場合には、ストロボマイコン３１０は光学アクセサリ７０２に係る減衰情報をストロボ６０２から取得する。
【０１４６】
図８に示す例では、ストロボ３００をカメラ本体１００に接続しているが、カメラ本体１００にストロボ６０１又は６０２に接続するようにしてもよい。そして、ストロボ３００のように複数の発光部を備えるストロボを用いることなく、１つの発光部のみを有するストロボのみを用いてワイヤレス多灯撮影を行う場合であっても同様にして処理すればよい。
【０１４７】
発光量比較演算を行った後、ストロボマイコン３１０は最も被写体に届く光量の割合が大きい発光部に係る発光情報を内蔵メモリに格納する。
【０１４８】
なお、第１の実施形態と同様に、色温度情報を加重平均によって求める場合は、ステップＳ４０５を省略するようにしてもよい。この際は、ストロボマイコン３１０は、ステップＳ４０７において発光部毎の色温度情報テーブルを参照して色温度情報を求める。そして、ストロボマイコン３１０は各発光部の発光量と発光部毎の測光結果とに応じて色温度情報を加重平均して色温度情報を決定する。
【０１４９】
このように、本発明の第４の実施形態では、ワイヤレス多灯撮影を行う際においても精度よく色温度情報を決定することができる。
【０１５０】
以上、本発明について実施の形態に基づいて説明したが、本発明は、これらの実施の形態に限定されるものではなく、この発明の要旨を逸脱しない範囲の様々な形態も本発明に含まれる。
【０１５１】
例えば、上記の実施の形態の機能を制御方法として、この制御方法を照明装置に実行させるようにすればよい。また、上述の実施の形態の機能を有するプログラムを制御プログラムとして、当該制御プログラムを照明装置が備えるコンピュータに実行させるようにしてもよい。なお、制御プログラムは、例えば、コンピュータに読み取り可能な記録媒体に記録される。
【０１５２】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５３】
１００  カメラ本体（撮像装置本体）
１０１  カメラマイコン
１１２  入力部
１１３  表示部
２００  レンズユニット
２０１  レンズマイコン
３００  ストロボ
３００ａ，３００ｂ  発光部
３００ｃ  本体部
３１０  ストロボマイコン
５００ａ，５００ｂ  光学アクセサリ
【図１】
2019040028.tif 000004
【図２】
2019040028.tif 000005
【図３】
2019040028.tif 000006
【図４】
2019040028.tif 000007
【図５】
2019040028.tif 000008
【図６】
2019040028.tif 000009
【図７】
2019040028.tif 000010
【図８】
2019040028.tif 000011
【図９】
2019040028.tif 000012
【図１０】
2019040028.tif 000013